【手続補正書】
【提出日】平成15年9月8日(2003.9.8)
【手続補正１】
【補正対象書類名】明細書
【補正対象項目名】０００４
【補正方法】変更
【補正の内容】
【０００４】【課題を解決しようとする手段】
この発明は、一般に多く出回り多量に捨てられたりリサイクルに回されているペットボトルと呼ばれる飲み物用のプラスチック製の容器を有効利用し、植物の給水に役立てようとするもので、これを図面で説明すると次のようになる。以下では、ペットボトルと呼ばれる飲み物用のプラスチック製容器を、一般的な呼び方であるペットボトルとして説明している。
（Ａ）図１は本発明の装置の台座部分の見取り図で、全体が１本の線材を折り曲げて作られている。本発明の装置の台座部分の先方の凹部１は、低く位置していて、ペットボトルの口に近い部分を支える。その下には、荷重を支える部分５を有している。本発明の装置の台座部分の後方の凹部２は高く位置している。ペットボトルの底から中間にかけての部分を支える。
台座部分の骨組みを固定する部分８と、台座部分の骨組みを固定する部分９と、台座部分の骨組みを固定する部分１０と、台座部分の骨組みを固定する部分１１は全体の形がくずれないようにしている部分で、溶接で固定されている。土に差し込む部分３と土に差し込む部分４はプランター内や温室内の土に差し込む部分で、全体を固定する役目を持つ。プランターのへりに乗り荷重を支える部分６、およびプランターのへりに乗り荷重を支える部分７はペットボトルの荷重の多くを支えるための構造である。
（Ｂ）図２は本発明の装置に丸型ペットボトルを使用した見取り図で、丸型ペットボトル１２の底の近くを、本発明の装置の台座部分１９が支えている。
栓１５は、ペットボトルに付けた特殊な栓で、後に述べるように水を通す紐が通っている。チューブ１３はペットボトル内の気圧が低くなって水が出なくなるのを防止するために、ペットボトルの底に空気を送るためにある。ただし、ペットボトルの底に穴をあければ、このチューブは無くてもよい。
紐１４は、本発明の装置の台座部分１９と丸型ペットボトル１２を固定するためのものである。
（Ｃ）図３は本発明の装置に角型ペットボトルを使用した見取り図で、角型ペットボトル１８を本発明の装置の台座部分１９が支えている
栓１６はペットボトルに付けた特殊な栓で、後に述べるように水を通す紐を通してある。ペットボトル内が負圧にならないようにするために、ペットボトルの底に穴１７があけられている。穴１７は熱した釘などを刺すなどして容易にあけることが可能である。この穴により、図２で説明の、チューブ１３に相当するものは無くてもよい。
（Ｄ）図４は本発明の装置に使用している栓の見取り図で、図２の栓１５を説明するための図である。
栓の本体部分２０はゴム製のためほとんど水を通さない。これに穴２４と穴２５があけられている。穴２５にはペットボトル内に空気を送るためのチューブ２３が通されている。紐２１は化学繊維の水を通す紐で、紐を溶かして固めた部分２２がある。これを穴２４に通して引っぱれば穴径よりも太い紐を通せる。この紐は緻密な流体抵抗となる。穴の径と紐の径を変えることにより、さまざまの流体抵抗値を得る。また、紐は手で引くことにより栓より引出す事ができるため、縫い針を用いてこの紐に糸を縫い込めば紐を太くして流体抵抗を増したのと同じ効果を出すことができる。また、縫い込んだ糸を切り取れば、紐を細くして流体抵抗を減らしたのと同様の効果を得る。
また紐を栓より、ある長さだけ引出し、糸を縫い込んだ部分の栓の中に占める割合を変えることにより、流体抵抗値を変えることも可能である。
（Ｅ）図５も本発明の装置に使用している栓の見取り図で、図３の栓１６を説明する図である。栓の本体部分２７には穴があけられており、ここに水を通す紐２８を通してある。ペットボトル内が負圧になるのを防ぐため、図３の穴１７に相当する穴をあけねばならない。
ペットボトルの外側にくる部分に出ている紐２８に、水を通さない材質のチューブ２６をかぶせてある。蒸発を防ぐためのものである。
図７は本発明の装置に使用している栓の断面図で、栓本体３９に金属パイプ３８が通っており中に水を通す紐３６が通され、これをチューブ３７が覆っている。このようにしても同様の効果を得る。
栓の代りに、ねじ部の付いた蓋を使用し、この盖の本体部分に空けた穴に水を通す紐を通しても同じ結果を得る。図８は本発明の装置に使用している蓋の断面図である。蓋本体４０には突出した部分４４があり、ここにあけられた穴に、水を通す紐４１が通っている。ねじ部４２で容器に取り付ける。ガスケット４３は漏れ止めである。
図９は本発明の装置に使用している栓の斜視図で、紐を通した栓に、締付けるための機構を付けた栓を説明している。
栓本体４５には水を通す紐４６が通っている。また栓本体４５の外周部を締付けるための、締付け器具４７が付いている。この器具は家庭でガスのホース等をパイプに接続する場合に使用されるものとほぼ同じ器具である。
締付け器具４７に付いている調整ネジのつまみ４８を回すことにより、締付ける力を調整できる。締付ける力を強くすれば紐４６は締付けられ、紐の持つ流体抵抗値は大きくなり、逆に締付ける力を弱くすれば、紐の持つ流体抵抗値は小さくなる。


【手続補正２】
【補正対象書類名】明細書
【補正対象項目名】０００５
【補正方法】変更
【補正の内容】
【０００５】【作用】
ペットボトル内の水は、栓にあけた穴に固く通された紐の中を、水圧と毛細管現象により外部に出ようとするが、固く通された紐の持つ流体抵抗により微量の流れとなる。やがて水は栓の外に出て、紐を伝って少しずつ植物の根元に供給される。太い紐を用いたり紐に糸を縫い込んだりすると流体抵抗値が増し流量が減る。細い紐を用いたり縫い込んだ糸を切り取ると逆の結果を得る。紐を少し引き出して使用すると、栓の中における糸を縫い込んだ部分の占める割合が減り、全体としての流体抵抗値を調整することともなる。
穴の空いた栓の中に通した紐は、使い始めた時は、空気で満たされ、その空気は紐の繊維の中で無数の粒子状となって存在し、流体抵抗を増し、水の流れを妨げる。このため、最初セットした時から１日か２日は給水量は少ない。やがて中の空気が押されて外へ出たり空気が水の中に溶けて無くなると、水は流れやすくなり単位時間当たりの給水量は増加する。


【手続補正３】
【補正対象書類名】明細書
【補正対象項目名】０００７
【補正方法】変更
【補正の内容】
【０００７】【発明の効果】
容易に入手でき、容量も大きなペットボトルを利用して、ある期間、人がいなくても、プランター内の植物に水を安定して供給できる。これにより安価な装置で、留守の家の植物を乾燥から守る効果がある。
栓の穴径と、これに通す紐の太さを選ぶことにより、さまざまな流体抵抗値を容易に実現でき、単位時間当たりの水の量を決定できる効果がある。
また流体抵抗としての紐は引出して糸を縫い込むのも糸を切りとるのも容易で、紐をある長さだけ栓から引出して使用するのも容易である。このようにして全体としての流体抵抗値を変え流量の調整が簡単にできる効果がある。
人が家を留守にする時に植物に大量の水を与えれば、１日か２日は水を与えなくても植物は痛まない。本発明において、水やりを始める時点では、紐の中の空気のため流体抵抗が大きく、時間当たりの水量が少ない。１日か２日後から水量が増えるため、留守番水やり器としては好都合な効果が得られる。使用した後、紐を乾燥させれば、この効果は再現できる。本発明の栓は取り外して干すのも簡単にでき、また、急いで再使用したい時は、紐を栓から引出せば、短時間で乾燥可能な効果がある。充分な強度がある紐は、このような作業が可能である。
水を通す紐は流体抵抗として働くと共に、その先端を容易に植物の根元に持ってゆくことができ、取り扱いのし易い効果がある。